(57)【要約】【課題】  公衆電話回線網に接続されていても、自動的にＩＰネットワーク網に接続が切り換わるので、気がつかないうちに間違って公衆電話回線網を使用する不具合を解決できる通信端末装置を提供する。【解決手段】  ＩＰネットワーク網と公衆電話回線網に接続を切り換える接続切換手段と、オフクックにより通信網を捕捉するオフフック手段と、ダイヤルトーンを検出するダイヤルトーン検出手段とを備えた通信端末装置であって、前記オフフック手段は、オフフックすることにより前記公衆電話回線網を捕捉し、前記公衆電話回線網は、前記オフフック手段による前記公衆回線網の捕捉によりダイヤルトーンを送出し、前記接続切換手段は、前記ダイヤルトーン検出手段が前記ダイヤルトーンを検出した場合には前記公衆電話回線網から前記ＩＰネットワーク網へ接続を切り換える構成となっている。【選択図】  図６
2005094225.tif 000002
【特許請求の範囲】
【請求項１】
ＩＰネットワーク網と公衆電話回線網に接続を切り換える接続切換手段と、オフクックにより通信網を捕捉するオフフック手段と、ダイヤルトーンを検出するダイヤルトーン検出手段とを備えた通信端末装置であって、
前記オフフック手段は、オフフックすることにより前記公衆電話回線網を捕捉し、前記公衆電話回線網は、前記オフフック手段による前記公衆回線網の捕捉によりダイヤルトーンを送出し、前記接続切換手段は、前記ダイヤルトーン検出手段が前記ダイヤルトーンを検出した場合には前記公衆電話回線網から前記ＩＰネットワーク網へ接続を切り換えることを特徴とする通信端末装置。
【請求項２】
ＩＰネットワーク網と公衆電話回線網に接続を切り換える接続切換手段と、オフクックにより通信網を捕捉するオフフック手段と、ダイヤルトーンを検出するダイヤルトーン検出手段とを備えた通信端末装置であって、
前記接続切換手段は、待機状態では前記ＩＰネットワークに接続するとともに、前記公衆電話回線網からの呼び出し信号を検出した場合には、前記ＩＰネットワーク網から前記公衆電話回線網に接続を切り換え、前記オフフック手段は、前記呼び出し信号に対して応答することなしに前記呼び出し信号が停止した直後にオフフックした場合、前記公衆電話回線網を捕捉し、前記公衆電話回線網は、前記オフフック手段による前記公衆回線網の捕捉によりダイヤルトーンを送出し、前記接続切換手段は、前記ダイヤルトーン検出手段が前記ダイヤルトーンを検出した場合には前記公衆電話回線網から前記ＩＰネットワーク網へ接続を切り換えることを特徴とする通信端末装置。
【請求項３】
前記通信端末装置が、さらにダイヤルトーンを送出するダイヤルトーン送出手段を備え、前記接続切換手段が前記公衆電話回線網から前記ＩＰネットワーク網へ接続を切り換えた場合には、前記ダイヤルトーン送出手段はダイヤルトーンを送出することを特徴とする請求項１または２に記載の通信端末装置。
【請求項４】
前記ダイヤルトーン送出手段は、前記公衆電話回線網が送出するダイヤルトーンと異なる信号を送出することを特徴とする請求項３に記載の通信端末装置。
【請求項５】
前記通信端末装置が、さらに自装置が送出するダイヤル番号を検出するダイヤル番号検出手段を備え、前記ダイヤルトーン検出手段が前記ダイヤルトーンを検出した場合、前記ダイヤル番号検出手段が、自装置が前記公衆回線網へ送出するダイヤル番号を検出した場合には、前記接続切換手段は、前記公衆電話回線網への接続を継続することを特徴とする請求項１乃至４いずれかに記載の通信端末装置。
【請求項６】
前記ダイヤル番号検出手段が、自装置が前記公衆回線網へ送出するダイヤル番号ではないダイヤル番号を検出した場合には、前記接続切換手段は、前記公衆電話回線網から前記ＩＰネットワーク網へ接続を切り換えることを特徴とする請求項５に記載の通信端末装置。
【請求項７】
前記接続切換手段は、前記ダイヤルトーン検出手段が前記ダイヤルトーンを検出した場合には前記公衆電話回線網から前記ＩＰネットワーク網へ接続を切り換える一方、前記ダイヤル番号検出手段が自装置が前記公衆回線網へ送出するダイヤル番号を検出した場合には、前記ＩＰネットワーク網から前記公衆電話回線網へ接続を切り換えることを特徴とする請求項１乃至６いずれかに記載の通信端末装置。
【請求項８】
前記ダイヤルトーン検出手段が前記公衆電話回線網からのダイヤルトーンを検出した場合には、警告音を送出するかまたは警告情報を表示する警告手段を備えたことを特徴とする請求項１乃至７いずれかに記載の通信端末装置。
【請求項９】
前記通信端末装置がＩＰ電話であることを特徴とする請求項１乃至８いずれかに記載の通信端末装置。
【請求項１０】
前記通信端末装置がＩＰ電話アダプタであることを特徴とする請求項１乃至８いずれかに記載の通信端末装置。
【発明の詳細な説明】
【技術分野】
【０００１】
この発明は、ＩＰ電話、ＩＰ電話アダプタ、ＩＰテレビ電話等の通信端末装置に関し、特に、公衆電話回線網に接続されていても、自動的にＩＰネットワーク網に接続が切り換わるので、気がつかないうちに間違って公衆電話回線網を使用する不具合を解決できる通信端末装置に関するものである。
【背景技術】
【０００２】
現在、ＩＰ電話が爆発的な勢いで普及している。そして、今まで一般加入者回線網に接続して使用していた一般の電話機をそのまま使用しＩＰ網に接続するための機器としてＩＰ電話アダプタがある。ＩＰ電話アダプタはＩＰネットワークと一般加入者電話網とに接続する機能を備えており、どちらのネットワークに接続するかを決める方法としては色々あり、その方法は、ＩＰ電話アダプタの仕様で決まる。通常は、ＩＰネットワークに接続して通信を行う方が通話料が安いため、電話をかける場合には、特別な操作をしなければＩＰネットワークに繋がるように設定されている。そのため待機状態でもＩＰネットワークに接続されているのが普通である。
なお、先行技術としては、１．特開２００２−１５８７９９公報（電話回線接続ポートに接続された電話回線の種類を判定するため、まずＳＷをオンしてダイヤルトーンの有無を検出し、ダイヤルトーンが検出されればアナログ電話回線であると判定できるが、検出されなかった場合、ＳＷをオフしてＳＷをオンし、ＴＥレイヤ起動シーケンスを実行し、このＴＥレイヤ起動シーケンスにより同期が確立できれば、ＩＳＤＮ回線であると判定できるが、同期が確立できなかった場合は回線未接続状態と判定する。そして、判定の結果アナログ電話回線と判定されたときはＳＷのみオンし、ＩＳＤＮ回線と判定されたときはＳＷのみオンする）、２．特開２００２−１５８８４７公報（ＩＰネットワークに接続されたリアルタイム型のネットワークファクシミリ装置で、Ｇ３ファクシミリ通信で発生する音の音データを保持するシステム制御部、前記音データをＤ／Ａ変換して出力する音声コーディック、スピーカを備え、ＩＰネットワークを介して画データパケットを通信する場合、ＩＰ通信のシーケンスに応じ、システム制御部で保持している音データを音声コーディックへ転送し、Ｇ３ファクシミリ通信の音をスピーカで発生させる）等が挙げられる。
【特許文献１】特開２００２−１５８７９９公報
【特許文献２】特開２００２−１５８８４７公報
【発明の開示】
【発明が解決しようとする課題】
【０００３】
一方、一般公衆回線から電話を受ける場合には、ＩＰネットワークから一般公衆回線へ接続を切り換える必要がある。この場合の課題として、どの時点でふたたびＩＰネットワークへ接続を戻すかがある。
すなわち、一般公衆回線網から呼び出し信号が到来した場合は、通常はハンドセットをオフフックし、その着呼に応答して通話が始まり、オンフックで通話が終了した場合に接続をＩＰネットワークへ戻せばいいのだが、呼び出し信号に対して応答しない間に相手側が電話をきった場合、呼び出し信号は止まるが、その場合にどの時点で接続をＩＰネットワークへ戻すかが問題である。
従来では、単純に呼び出し信号が止まってからある一定時間（完全に呼び出し信号が止まったことを保障するためには長めの時間設定が必要になる）が経過した後に接続をＩＰネットワークへ切り換えていた。
しかしながら、切り換える前にユーザが電話をかけることになると接続が一般公衆回線になったままなので、ＩＰネットワーク経由で電話をかけているつもりが、実際には一般公衆回線経由で電話がかかっているという不具合が実際に発生していた。
本発明は、このような不具合を解消するためのものであり、公衆電話回線網に接続されていても、自動的にＩＰネットワーク網に接続が切り換わるので、気がつかないうちに間違って公衆電話回線網を使用する不具合を解決できる通信端末装置を提供することである。
【課題を解決するための手段】
【０００４】
上述の目的を達成するために、請求項１記載の発明は、ＩＰネットワーク網と公衆電話回線網に接続を切り換える接続切換手段と、オフクックにより通信網を捕捉するオフフック手段と、ダイヤルトーンを検出するダイヤルトーン検出手段とを備えた通信端末装置において、前記オフフック手段は、オフフックすることにより前記公衆電話回線網を捕捉し、前記公衆電話回線網は、前記オフフック手段による前記公衆回線網の捕捉によりダイヤルトーンを送出し、前記接続切換手段は、前記ダイヤルトーン検出手段が前記ダイヤルトーンを検出した場合には前記公衆電話回線網から前記ＩＰネットワーク網へ接続を切り換えることを特徴とする。
また、請求項２記載の発明は、ＩＰネットワーク網と公衆電話回線網に接続を切り換える接続切換手段と、オフクックにより通信網を捕捉するオフフック手段と、ダイヤルトーンを検出するダイヤルトーン検出手段とを備えた通信端末装置において、前記接続切換手段は、待機状態では前記ＩＰネットワークに接続するとともに、前記公衆電話回線網からの呼び出し信号を検出した場合には、前記ＩＰネットワーク網から前記公衆電話回線網に接続を切り換え、前記オフフック手段は、前記呼び出し信号に対して応答することなしに前記呼び出し信号が停止した直後にオフフックした場合、前記公衆電話回線網を捕捉し、前記公衆電話回線網は、前記オフフック手段による前記公衆回線網の捕捉によりダイヤルトーンを送出し、前記接続切換手段は、前記ダイヤルトーン検出手段が前記ダイヤルトーンを検出した場合には前記公衆電話回線網から前記ＩＰネットワーク網へ接続を切り換えることを特徴とする。
また、請求項３記載の発明は、請求項１または２の通信端末装置が、さらにダイヤルトーンを送出するダイヤルトーン送出手段を備え、前記接続切換手段が前記公衆電話回線網から前記ＩＰネットワーク網へ接続を切り換えた場合には、前記ダイヤルトーン送出手段はダイヤルトーンを送出することを特徴とする。
また、請求項４記載の発明は、請求項３の通信端末装置において、前記ダイヤルトーン送出手段は、前記公衆電話回線網が送出するダイヤルトーンと異なる信号を送出することを特徴とする。
また、請求項５記載の発明は、請求項１〜４いずれかの通信端末装置が、さらに自装置が送出するダイヤル番号を検出するダイヤル番号検出手段を備え、前記ダイヤルトーン検出手段が前記ダイヤルトーンを検出した場合、前記ダイヤル番号検出手段が、自装置が前記公衆回線網へ送出するダイヤル番号を検出した場合には、前記接続切換手段は、前記公衆電話回線網への接続を継続することを特徴とする。
【０００５】
また、請求項６記載の発明は、請求項５の通信端末装置において、前記ダイヤル番号検出手段が、自装置が前記公衆回線網へ送出するダイヤル番号ではないダイヤル番号を検出した場合には、前記接続切換手段は、前記公衆電話回線網から前記ＩＰネットワーク網へ接続を切り換えることを特徴とする。
また、請求項７記載の発明は、請求項１〜６いずれかの通信端末装置において、前記接続切換手段は、前記ダイヤルトーン検出手段が前記ダイヤルトーンを検出した場合には前記公衆電話回線網から前記ＩＰネットワーク網へ接続を切り換える一方、前記ダイヤル番号検出手段が自装置が前記公衆回線網へ送出するダイヤル番号を検出した場合には、前記ＩＰネットワーク網から前記公衆電話回線網へ接続を切り換えることを特徴とする。
また、請求項８記載の発明は、請求項１〜７いずれかの通信端末装置において、前記ダイヤルトーン検出手段が前記公衆電話回線網からのダイヤルトーンを検出した場合には、警告音を送出するかまたは警告情報を表示する警告手段を備えたことを特徴とする。
また、請求項９記載の発明は、請求項１〜８いずれかの通信端末装置がＩＰ電話であることを特徴とする。
また、請求項１０記載の発明は、請求項１〜８いずれかの通信端末装置がＩＰ電話アダプタであることを特徴とする。
【発明の効果】
【０００６】
請求項１および２の発明によれば、公衆電話回線網に接続されていても、自動的にＩＰネットワーク網に接続が切り換わるので、気がつかないうちに間違って公衆電話回線網を使用する不具合を解決できる。
請求項３および４の発明によれば、公衆電話回線網の交換機が送出するダイヤルトーンと異なるダイヤルトーンを送出するので、ユーザはＩＰネットワークに接続されているのが確実にわかる。
請求項５の発明によれば、公衆電話回線網への接続が必要な電話番号の場合に、ＩＰネットワーク網への自動切換えを防ぐことができる。
請求項６の発明によれば、公衆電話回線網への接続が必要ではない場合は、速やかにＩＰネットワーク網へ接続を切り換えることができる。
請求項７の発明によれば、ＩＰネットワーク網へ接続が切り換わった場合でも、公衆電話回線網へ自動的に接続を切り換えているので、ユーザが接続するネットワークを意識しなくてもよい。
請求項８の発明によれば、警告音により意図しない公衆電話回線網の使用を防ぐことができる。
【発明を実施するための最良の形態】
【０００７】
以下に添付の図を参照してこの発明の実施形態を詳細に説明する。
【実施例】
【０００８】
図１は、本発明を実施した通信端末装置としてのＩＰ電話の概略ブロック図である。
図１に示すように、このＩＰ電話においては、ＣＰＵ（中央処理装置）１は、装置全体を制御するものであり、その実行プログラムはＲＯＭ（リード・オンリー・メモリ）３に記憶され、ＣＰＵ１は、その実行プログラムをＲＯＭ３から読み出し、その実行プログラムに含まれる命令を逐次解釈して装置全体の制御を行うものである。ＲＡＭ（ランダム・アクセス・メモリ）５には、その制御に必要なワークエリアが形成されるともに、保存パラメータやそのほか制御に必要ないろいろなパラメータや管理情報等が記憶されるものである。
操作入力・表示部７は、各種の操作キーと操作ガイダンス等を表示する表示器からなり、オペレータが装置を操作するためのものである。ハンドセット９は、音声通話をするいわゆる受話器なるものであり、音声を出力するスピーカや音声を入力するマイク等から構成される。通話回路１１は、マイク等から入力された音声信号を接続切換部１３を通してＮＣＵ部１５またはＩＰ部１７に送出し、逆にＮＣＵ部１５またはＩＰ部１７から入力されて接続切換部１３を通った音声信号をハンドセット９のスピーカ等に出力するものである。また、通話回路１１は、音声信号を増幅したりあるいは減衰することにより音量を調整したり、音声信号の周波数特性を変化させることにより音質を良くしたりする回路も含まれているのが一般的である。また送話器から受話器への音の回り込みを制御するいわゆる側音制御もこの部分で行うのが一般的である。
ＩＰ部１７は、ＩＰネットワークに接続する場合に使用される。ＩＰ部１７は、通話回路１１から送られてきたアナログの音声信号をデジタルデータに変換し、さらに必要であれば符号化圧縮する。次に、音声信号データを送信用のＩＰパケットに埋め込み、順次回線接続Ｉ／Ｆ１９に送り出す。また、回線接続Ｉ／Ｆ１９から入力される受信用のＩＰパケットから音声信号データを取り出し、必要であれば復号伸張し、さらにデジタルの音声信号データをアナログの音声信号に変換し、通話回路１１に送出する。
また、ＩＰ部１７は、呼制御を行うための制御用ＩＰパケットを組立て、順次回線接続Ｉ／Ｆ１９に送り出すと共に、回線接続Ｉ／Ｆ１９から入力される受信した制御用ＩＰパケットを分解する。このような制御用ＩＰパケットの送出、受信はＩＰ部１７とは独立した別の手段で構成してもよい。ＩＰ部１７の動作制御はＣＰＵ１で行われる。
【０００９】
ＮＣＵ部１５は、公衆電話回線網に接続するときに使用される。ＮＣＵ部１５は、ハンドセット９のオフフック動作による回線を捕捉するために直流電流を流すオフフック部１５ａ、交換機からの呼び出し信号を検出するダイヤルトーン検出部１５ｂ、音声のアナログ信号を伝達しかつ一次側（回線側）と二次側（回路側）を電気的に絶縁するトランス部１５ｃから構成されている。ＮＣＵ部１５は、通話回路１１から送られてきたアナログの音声信号を回線接続Ｉ／Ｆ１９に送り出し、また回線接続Ｉ／Ｆ１９から入力されるアナログ音声信号を通話回路１１へ送出する。なお、ダイヤルトーン検出部１５ｂは、アナログオペアンプ（信号増幅用）、コンパレータ（２値化、デジタル化）、周波数カウンタ（信号の周波数を測定する）から構成することができる。
接続切換部１３は、公衆電話回線網を使用する場合にはＮＣＵ部１５を選択し、ＩＰネットワーク網を使用する場合にはＩＰ部１７を選択するように接続を切り換える動作を行う。具体的には、接続切換部１３は、メカニカルリレー、半導体リレーなどのスイッチ素子、あるいはソフトウェアで切り換えるソフトウェアスイッチで構成することができる。また、接続切換部１３は、図１に示す位置に配置する以外に、ＮＣＵ部１５あるいはＩＰ部１７と回線接続Ｉ／Ｆ１９の間に配置してもよい。
回線接続Ｉ／Ｆ１９は、ＩＰ部１７から入力される送信用ＩＰパケットをＩＰネットワーク網に送出する一方、ＩＰネットワーク網から入力される受信用パケットをＩＰ部１７に送出する。また、回線接続Ｉ／Ｆ１９は、ＮＣＵ部１５から入力されるアナログ音声信号を公衆電話回線網に送出する一方、公衆電話回線網から入力されるアナログ音声信号をＮＣＵ部１５に送出する。接続回線としてＮＴＴ等が供給している公衆電話回線網を使用する場合には、デジタル信号とアナログ信号を相互に変換するＸＤＳＬモデムがＶｏＩＰ手段に含まれる。また接続回線がＬＡＮ等であれば、回線接続Ｉ／Ｆ１９は、ＬＡＮ用のＩ／Ｆ（イーサネット（登録商標）、トークンリング、ＦＴＴＨ等）となる。また、その両方を備えていてもよい。
なお、図１に示すように、ＣＰＵ１、ＲＯＭ３、ＲＡＭ５、操作入力・表示部７、ＩＰ部１７、通話回路１１は、内部バス２１によって相互に接続されている。また。接続切換部１３には、ダイヤルトーン送出部２３およびダイヤル番号検出部２５が接続されている。
【００１０】
図２は、本発明を実施したＩＰ電話アダプタの概略ブロック図である。
図２に示したＩＰ電話アダプタは、図１に示したＩＰ電話における通話回路１１とハンドセット９とトランス部１５ｃがない代わりに電話接続Ｉ／Ｆ２７がある構成となっている以外は同じ構成である。この電話接続Ｉ／Ｆ２７は、一般の電話機と接続するためのアナログＩ／Ｆであり、アナログの音声信号を入／出力する。
図３は、本発明を実施したＩＰテレビ電話の概略ブロック図である。
図３に示したＩＰテレビ電話は、図１に示したＩＰ電話に、画像処理回路２９、画像表示部３１、カメラ３３を追加した構成となっている。このカメラ３３は、被写体を次々に画像データに変換するものである。その画像データは、画像処理回路２９で送信データ用に画像処理される。画像処理されたデータは、ＩＰ部１７で符号化圧縮され、画像信号データを送信用のＩＰパケットに埋め込み、順次回線接続Ｉ／Ｆ１９に送り出す。また、回線接続Ｉ／Ｆ１９から入力される受信用のＩＰパケットから画像信号データを取り出すとともに復号伸張し、画像処理回路２９に送出する。画像処理回路２９は、画像表示部３１に合わせた画像処理を行い、画像表示部３１に画像データを送出し、画像表示部３１は、画像データを連続的に表示することにより動画像を得ることが出来る。
なお、公衆電話回線網に接続して通話を行う場合のシーケンス、動作等は一般的に広く知られているのでここでは説明を省略する。
【００１１】
次に、図４、図５を参照して、ＩＰ電話等で使用されるプロトコルについて説明する。
呼設定手段は標準で規定されている標準用呼制御用プロトコル（ＳＩＰ、Ｈ．３２３、ＭＥＧＡＣＯなど）を使用して呼設定を行い通信あるいは通話を可能にするものである。
図４は、ＩＰ電話等で使用されるＳＩＰのプロトコルスタックを示す図である。
図４に示されているように、呼・セッション制御用プロトコルとしてＳＩＰを使用する場合、Network Layer（ネットワーク層）においてＩＰ（Internet Protocol）が使用される。また、この場合、Transport Layer（トランスポート層）においてＵＤＰ（User Datagram Protocol）、ＴＣＰ（Transmission Control Protocol）、またはＳＣＴＰ（Stream Control Transmission Protocol）が使用される。また、この場合、ＳＩＰメッセージを記述する制御情報記述プロトコルとしてＳＤＰ（Session Description Protocol）が使用される。また、この場合、ＵＤＰ（トランスポート層）とともに、動画／音声の送受信プロトコルとして、ＲＴＰ（Realtime Transport Protocol）が使用される。
図５は、ＩＰ電話等で使用されるＳＩＰの通信モデルの１つのプロトコル図である。
まず発呼側からＩＮＶＩＴＥというリクエストメッセージを送出する。ＩＮＶＩＴＥは、セッションの起動信号であり、それには発呼側が受信可能なセッションの属性がＳＤＰで示されている。具体的には発呼側の受信条件（コーデック、ポート番号等）と送信条件を提示するものである。着呼側はＩＮＶＩＴＥを受信し、呼び出し状態になったことを通知するために１８０  Ｒｉｎｇｉｎｇを発呼側へ送信する。この１８０  Ｒｉｎｇｉｎｇで着呼側の受信条件（コーデック、ポート番号等）と送信条件を提示してもよいが、通常は、次の２００  ＯＫで提示する。次に着呼側が通話可能状態になったことを通知するために２００  ＯＫを発呼側へ送信する。それには着呼側が受信可能なセッションの属性がＳＰＤで示されている。この２００  ＯＫで着呼側の受信条件（コーデック、ポート番号等）と送信条件を提示する。
次に、発呼側がＡＣＫを着呼側へ送信し、これにより通信に利用可能な属性がネゴシエーションされる。本発明では便宜上ここまでを接続フェーズと定義している。次にメディア（音声、画像、動画等）の転送が開始される。本発明ではこのメディアの転送期間中を便宜上、データ送受信フェーズと定義している。通信を終了するときには止める側がＢＹＥ信号を送信することにより通信終了を要求し、それを受信した側は、その応答である２００  ＯＫ信号を送信して通信を終了する。本発明ではこのフェーズを便宜上、切断フェーズと定義している。
【００１２】
図６は、図１に示したＩＰ電話の動作フローチャートである。この動作制御は、主にＣＰＵ１で行われる。
図６のステップ１０１において、接続切換部１３は、通常の待機状態ではＩＰネットワークを選択している。これは、電話をかける場合にはＩＰネットワークを使用するほうが電話料金が安いため、通常はＩＰネットワークを使用する頻度が高いからである。
次に、ＩＰ電話以外の相手装置が発呼してきた場合には、公衆電話回線網から呼び出し信号が到来する（ステップ１０３）。この時、呼び出し信号検出部が呼び出し信号を検出し、その結果をＣＰＵ１または接続切換部１３に通知した場合には、ＣＰＵ１から命令された接続切換部１３はＩＰネットワーク網から公衆電話回線網に接続を切り換える（ステップ１０５）。
次に、この状態でユーザが相手装置よりの発呼による呼び出し信号に対して応答してハンドセットを取り上げるか否かが判定され（ステップ１０６）、この場合、通常はユーザがハンドセットを取り上げるので（ステップ１０６のはい）、オフフック部１５ａがオフフック動作を遂行する。すなわち、ＮＣＵ部１５に回線から出力される直流電流を流すことにより回線を閉結する。回線の閉結はメカニカルリレー、半導体リレーが行い、直流電流はトランスあるいは電流を流すように構成された半導体回路に流すようにする。ハンドセットが持ち上げられたかどうかは、ハンドセットを置く受け台側にメカニカルなスイッチを設けることにより検出できる。メカニカルスイッチはハンドセットを持ち上げるとオフフック信号を出力し、ＣＰＵ１はこれを検出して回線を閉結する。またハンドセット自体にオフフック部１５ａが内臓されている場合、ハンドセットを持ち上げるとハンドセット内部の直流電流回路が回線からの直流電流を流して回線を直接閉結する。オフフック部１５ａは、また実際に直流電流が流れているかどうかを検出する電流検出手段を含む構成でもよい。
そして、直流電流が流れ回線が閉結されると、呼び出し信号に応答することになり通話が開始される（ステップ１０７）。そして、通話が終了するとユーザはハンドセットをオンフックすることにより、オフフック部１５ａは回線からの直流電流を遮断し、回線を開放する（ステップ１０９）。接続切換部１３は、このオンフックを検出、すなわち直流電流の遮断を検出して、公衆電話回線網からＩＰネットワークへ接続を切り換える。
【００１３】
しかし、場合によっては呼び出し信号に対して応答しない場合もある（ステップ１０６のいいえ）。この場合、相手装置側は呼び出しを継続するがこちらが電話に出ない場合には発呼を中断する（ステップ１１１）。これにより着呼側（自装置）への呼び出し信号は停止することになる。この時、接続切換部１３は、公衆電話回線網からＩＰネットワークへ接続を切り換えるために、その切り換える時間を測定するためにある一定時間タイマーを走らせる（ステップ１１３）。そして、呼び出し信号が停止して、タイマーが動作している間に、ユーザが電話をかけるためにハンドセットをオフフックしたか否かが判定され（ステップ１１５）、タイマーが動作している間にユーザが電話をかけるためにハンドセットをオフフックしない場合（ステップ１１５のいいえ）、上記ある一定時間経過した後に、接続をＩＰネットワークへ切り換え、自装置は待機状態に戻り、次に電話をかける動作あるいは電話を受ける動作の準備が整う（ステップ１１７）。
【００１４】
一方、呼び出し信号が停止し、この一定時間が経過する前にユーザが電話をかけるためにハンドセットをオフフックすると（ステップ１１５のはい）、接続切換部１３は、まだ公衆電話回線網を選択しているため、公衆電話回線を閉結して捕捉する（ステップ１１９）。回線が閉結されると公衆電話回線網側にある交換機から、ダイヤル信号を受け取る準備が整っていることを知らせる信号であるダイヤルトーン信号が送出される。ダイヤルトーン検出部１５ａは、このダイヤルトーン信号を検出し、検出した結果をＣＰＵ１あるいは直接に接続切換部１３に知らせる。ＣＰＵ１から命令された接続切換部１３は、その結果、公衆電話回線網からＩＰネットワークへ接続を切り換える（ステップ１２１）。
この時、ダイヤルトーン送出部２３は、ＩＰネットワーク側がダイヤル番号を受け取る準備が整っていることを示すダイヤルトーン信号（第２のダイヤルトーン信号）を装置内で発生し送出する（ステップ１２３）。このＩＰネットワーク側のダイヤルトーンは、公衆電話回線網の交換機が送出するダイヤルトーン（通常は４００Ｈｚの連続トーン）と区別できる信号を送出する。従って、ユーザは、公衆電話回線網の交換機が送出するダイヤルトーンと異なるダイヤルトーンを送出するので、ＩＰネットワークに接続されているのが確実にわかる。
このダイヤルトーン送出部２３は、周波数ジェネレータ、アンプから構成される。例えば４００Ｈｚ近傍の周波数を持ち、かつカデンスを持つ信号、４００Ｈｚからかけ離れた周波数を持つ信号、音楽、音声等が考えられる。
【００１５】
この時、ダイヤル番号検出部２５が、自装置が発生する公衆電話回線網へのダイヤル番号の送出を検出したか否かが判定され（ステップ１２５）、自装置が発生する公衆電話回線網へのダイヤル番号の送出を検出した場合には（ステップ１２５のはい）、接続切換部１３はＩＰネットワークから公衆電話回線網へ接続を切り換える（ステップ１２７）。ダイヤル番号検出部２５はダイヤルパルス方式またはＤＴＭＦ方式のダイヤル番号を検出する。具体的には、ダイヤルパルスの場合は、直流電流のオンオフを検出し、ＤＴＭＦ信号はＤＴＭＦレシーバによって検出する。
また、ダイヤル番号検出部２５が、自装置が前記公衆回線網へ送出するダイヤル番号ではないダイヤル番号を検出した場合には（ステップ１２５のいいえ）、前記接続切換部１３は、前記公衆電話回線網から前記ＩＰネットワーク網へ接続を切り換える（ステップ１２９）。
【００１６】
また、ダイヤルトーン検出部１５ｂが交換機のダイヤルトーンを検出してもすぐにはＩＰネットワークへ接続を切り換えることをしないで、ダイヤル番号検出部２５が、自装置が発生する公衆電話回線網へのダイヤル番号の送出を検出した場合には（ステップ１２５のはい）、ＩＰネットワークへ接続を切り換えずにそのまま公衆電話回線網への接続を継続するようにしても良い。
また、この時、自装置が発生するダイヤル番号が公衆電話回線網へのダイヤルではない場合には、接続をＩＰネットワークへ切り換える。自装置が発生するダイヤル番号が公衆電話回線網へのダイヤルかどうかの判断は、ダイヤル番号で判断するダイヤル番号種別判断手段を備えればよい。ダイヤル番号種別判断手段は実際には、ＣＰＵ１が入力されたダイヤル番号とメモリに記憶されている番号を比較して判断する。例えば１１０番、１１９番等のように１で始まる番号の場合は公衆電話回線網への発呼と判断する。また００００番のように、公衆電話回線網へ接続するための専用番号をあらかじめ決めておくことも出来る。
また、またダイヤルトーン検出部１５ｂが交換機のダイヤルトーンを検出した場合に、公衆電話回線網を使用していることをユーザに知らせるための警告手段を設けている。例えば、警告音（ブザー、スピーカ等から音を発生する）を鳴動させたり、あるいは表示部に警告情報を表示したり、ＬＥＤ、ランプ等の光りによる警告することが考えられる。
【００１７】
図７は、本発明の具体的な実施例におけるＳＩＰの制御用パケットの構造を示す図である。図７に示されているように、ＳＩＰの制御用パケットには、ＩＰヘッダと、ＵＤＰ（ＴＣＰ）ヘッダと、ＳＩＰメッセージとが含まれている。
図８は、本発明の具体的な実施例におけるＳＩＰのデータ用パケットの構造を示す図である。図８に示されているように、ＳＩＰのデータ用パケットには、ＩＰヘッダと、ＵＤＰヘッダと、ＲＴＰヘッダと、音声・画像データとが含まれている。
図９は、本発明の具体的な実施例におけるＵＤＰデータグラムの構造を示す図である。図９に示されているように、ＵＤＰデータグラムには、送信ポート番号と、宛先ポート番号と、データ長と、チェックサムと、データとが含まれている。
図１０は、本発明の具体的な実施例におけるＳＩＰで使用されるＩＰデータグラムの構造を示す図である。図１０に示されるように、ＩＰパケットの構成は、バージョン情報と、ヘッダ長情報と、サービスタイプ情報と、トータル長情報と、識別子（ＩＤ）と、フラグ情報と、フラグメント・オフセット情報と、生存時間（ＴＴＬ）情報と、プロトコルタイプ情報と、ヘッダチェックサム情報と、送信元アドレスと、宛先アドレスと、オプションと、パディングと、データ領域とからなる。
【００１８】
以上、実施例としてＩＰ電話を、その標準プロトコルとしてＳＩＰを例にとって記載しているが、その他に標準プロトコルとしてＨ．３２３、ＨＴＴＰ、ＭＥＧＡＣＯ等があり、また標準プロトコルではなく、その他のローカルのプロトコルでも本発明の実施は可能である。
また端末装置としてはＩＰ電話以外にＩＰ電話アダプタ（図２）、ＩＰテレビ電話（図３）、ＩＰ携帯電話、ＩＰ携帯端末装置、インターネットファックス等に代表されるＩＰ端末装置に適用可能であり、その端末装置で使用される標準プロトコルあるいはローカルプロトコルにも適用できる。
【図面の簡単な説明】
【００１９】
【図１】本発明を実施したＩＰ電話の概略ブロック図である。
【図２】本発明を実施したＩＰ電話アダプタの概略ブロック図である。
【図３】本発明を実施したＩＰテレビ電話の概略ブロック図である。
【図４】ＩＰ電話等で使用されるＳＩＰのプロトコルスタックを示す図である。
【図５】ＩＰ電話等で使用されるＳＩＰの通信モデルの１つのプロトコル図である。
【図６】図１に示したＩＰ電話の動作フローチャートである。
【図７】本発明の具体的な実施例におけるＳＩＰの制御用パケットの構造を示す図である。
【図８】本発明の具体的な実施例におけるＳＩＰのデータ用パケットの構造を示す図である。
【図９】本発明の具体的な実施例におけるＵＤＰデータグラムの構造を示す図である。
【図１０】本発明の具体的な実施例におけるＳＩＰで使用されるＩＰデータグラムの構造を示す図である。
【符号の説明】
【００２０】
１…ＣＰＵ、３…ＲＯＭ、７…表示部、９…ハンドセット、１１…通話回路、１３…接続切換部、１５…ＮＣＵ部、１５ａ…オフフック部、１５ｂ…ダイヤルトーン検出部、１５ｃ…トランス部、１７…ＩＰ部、２１…内部バス、２３…ダイヤルトーン送出部、２５…ダイヤルトーン検出部、２５…ダイヤル番号検出部、２９…画像処理回路、３１…画像表示部、３３…カメラ
【図１】
2005094225.tif 000003
【図２】
2005094225.tif 000004
【図３】
2005094225.tif 000005
【図４】
2005094225.tif 000006
【図５】
2005094225.tif 000007
【図６】
2005094225.tif 000008
【図７】
2005094225.tif 000009
【図８】
2005094225.tif 000010
【図９】
2005094225.tif 000011
【図１０】
2005094225.tif 000012